(57)【要約】【課題】  最近アクセスされたアイテムに容易にアクセスする能力をユーザに与える。【解決手段】  最近のアイテムのリストは、デバイスの中に格納された対応する連絡先と対応させることが試みられる着信の通信と発信の通信をともに含む。ユーザは最近の連絡先のリストにアクセスし、利用可能な任意の通信方法を使用して返信できる。ユーザは、電話で返信し、電子メールを送り、インスタントメッセンジャーメッセージを送信し、ＳＭＳメッセージを送信することができる。最近のアイテムのリストは、通信、連絡先、フォルダ、ファイル、メッセージ、アプリケーションなどのアイテムも含むことができる。アイテムが最近のリストの中で１回だけ示されるように、最近使用されたアイテムの合併されたリストが示される。最近のリストの中で一致したアイテムがあれば、そのアイテムも最近のリストの下に現れるアルファベット順リストの中で示されることができる。【選択図】  図６
2005236987.tif 000002
【特許請求の範囲】
【請求項１】
最近のアイテムを表示するための方法であって、
最近のアイテムを前記アイテムに対するアクセスに基づいて判定するステップと、
前記最近のアイテムが関連する連絡先を有する場合、前記アイテムを連絡先リストの中に保持される連絡先に関連付けるステップと、
すべての最近アクセスされたアイテムを含む最近のアイテムのリストの中に前記最近のアイテムを入れるステップと、
前記最近のアイテムが前記最近のアイテムのリスト内で１回だけ示されるように前記最近のアイテムのリストを生成するステップと、
前記最近のアイテムのリストを表示するステップと
を備えることを特徴とする方法。
【請求項２】
前記最近のアイテムを判定するステップは、前記通信に関連する時刻を判定するステップをさらに備えることを特徴とする請求項１に記載の方法。
【請求項３】
前記最近のアイテムを判定するステップは、前記通信に関連する頻度を判定するステップをさらに備えることを特徴とする請求項１に記載の方法。
【請求項４】
前記通信に関連する頻度を判定するステップをさらに備えることを特徴とする請求項２に記載の方法。
【請求項５】
任意の利用可能な通信方法を使用することによって前記最近のアイテムに返信するステップをさらに備えることを特徴とする請求項１に記載の方法。
【請求項６】
前記通信方法は、電話呼、ＩＭメッセージ、ＳＭＳメッセージ、ＭＭＳメッセージ、および電子メールを含むセットから選択されることを特徴とする請求項５に記載の方法。
【請求項７】
前記最近のアイテムのリストは、所定の数の最近のアイテムに制限されることを特徴とする請求項１に記載の方法。
【請求項８】
前記通信に基づいて前記最近のアイテムを判定するステップは、前記通信が秘密（ｐｒｉｖａｔｅ）である場合を判定し、前記通信が秘密である場合、前記通信に最近のアイテムではないというマークを付けるステップをさらに備えることを特徴とする請求項１に記載の方法。
【請求項９】
前記最近のアイテムが強調表示された場合、連絡先ウインドウのタイトルバー内で前記通信の前記時刻を表示するステップをさらに備えることを特徴とする請求項２に記載の方法。
【請求項１０】
設定に基づいて前記最近のアイテムのリストの前記表示をオフにするステップをさらに備えることを特徴とする請求項１に記載の方法。
【請求項１１】
最近のアイテムを表示するためのシステムであって、
通信を受信するように構成された通信接続と、
最近のアイテムのリストを表示するように構成されたディスプレイとを備え、
最近のアイテムを判定するステップと、
最近のアイテムが前記通信に基づく場合、前記最近のアイテムを連絡先リストの中に保持される連絡先に関連付けるステップと、
すべての最近アクセスされたアイテムを含む前記最近のアイテムのリストの中に前記最近のアイテムを入れるステップと、
前記最近のアイテムが前記最近のアイテムのリスト内で１回だけ示されるように前記最近のアイテムのリストを生成するステップと、
前記最近のアイテムのリストを前記ディスプレイ上で表示するステップと
を含むアクションを実行するように構成された最近のアイテムアプリケーション
をさらに備えたことを特徴とするシステム。
【請求項１２】
前記最近のアイテムを判定するステップは、前記通信に関連する時刻を判定するステップをさらに備えたことを特徴とする請求項１１に記載のシステム。
【請求項１３】
前記最近のアイテムを判定するステップは、前記最近のアイテムに関連する頻度を判定するステップをさらに備えたことを特徴とする請求項１２に記載のシステム。
【請求項１４】
前記通話接続を使用し、任意の利用可能な通信方法を使用することによって前記最近の連絡先に返信するステップをさらに備えたことを特徴とする請求項１１に記載のシステム。
【請求項１５】
前記最近のアイテムのリストは、所定の数の最近のアイテムに制限されることを特徴とする請求項１１に記載のシステム。
【請求項１６】
前記通信に基づいて前記最近の連絡先を判定するステップは、前記通信が秘密である場合を判定し、前記通信が秘密である場合、前記通信に最近の連絡先ではないというマークを付けるステップをさらに備えたことを特徴とする請求項１２に記載のシステム。
【請求項１７】
前記最近の連絡先が強調表示された場合、連絡先ウインドウのタイトルバー内で前記通信の前記時刻を表示するように前記ディスプレイに命令するステップをさらに備えたことを特徴とする請求項１２に記載のシステム。
【請求項１８】
最近のアイテムを表示するためのコンピュータ読み取り可能な記録媒体であって、
最近のアイテムをアイテムに対するアクセスに基づいて判定するステップと、
前記最近のアイテムを連絡先リストの中に保持される連絡先に関連付けようと試みるステップと、
すべての最近アクセスされたアイテムを含む最近のアイテムのリストの中に前記最近のアイテムを入れるステップと、
前記最近のアイテムが前記最近の連絡先のリスト内で１回だけ示されるように前記最近のアイテムのリストを生成するステップと、
前記最近の連絡先のリストを表示するステップと
を備えたことを特徴とする媒体。
【請求項１９】
前記最近のアイテムを判定するステップは、前記アイテムに対する前記アクセスに関連する時刻と、前記アイテムに対する前記アクセスに関連する頻度の少なくともいずれかを判定するステップをさらに備えたことを特徴とする請求項１８に記載のコンピュータ読み取り可能な記録媒体。
【請求項２０】
任意の利用可能な通信方法を使用することにより、前記最近のアイテムに返信するステップをさらに備えたことを特徴とする請求項１８に記載のコンピュータ読み取り可能な記録媒体。
【請求項２１】
前記アイテムに対する前記アクセスに基づいて前記最近のアイテムを判定するステップは、通信が秘密である場合を判定し、前記通信が秘密である場合、前記通信に最近のアイテムではないというマークを付けるステップをさらに備えたことを特徴とする請求項１８に記載のコンピュータ読み取り可能な記録媒体。
【請求項２２】
前記最近のアイテムが強調表示された場合、連絡先ウインドウのタイトルバー内で前記アイテムに対する前記アクセスの前記時刻を表示するステップをさらに備えたことを特徴とする請求項１９に記載のコンピュータ読み取り可能な記録媒体。
【請求項２３】
設定に基づいて前記最近のアイテムの前記表示をオフにするステップをさらに備えたことを特徴とする請求項１８に記載のコンピュータ読み取り可能な記録媒体。
【発明の詳細な説明】
【技術分野】
【０００１】
本発明は、最近のアイテムを表示するための方法及びシステムに関し、より詳細には、デバイス上の最近使用された連絡先およびアイテムにアクセスする、最近のアイテムを表示するための方法及びシステム並びに記録媒体に関する。
【背景技術】
【０００２】
ＰＤＡ（Personal Digital Assistant）やセル電話機におけるような個人情報マネージャは、通常、連絡先のリストを保持する。それらの連絡先リストは、名前、役職、会社名、職場番号、自宅番号、ファックス番号、モバイル番号、電子メールアドレス、Ｗｅｂページなどの項目を含む、各連絡先についての情報を格納する。連絡先リストは、非常に長くなる可能性がある。例えば、一部の連絡先リストは、大企業における全員を含む可能性がある。それらの連絡先リストの中で連絡先を探し出すことは、困難である可能性がある。コンピュータ上の他のアイテムを探し出すことも困難であり得る。例えば、大きいファイルシステム内でフォルダを見つけること、またはファイル内でフィールドを探し出すことが困難である可能性がある。
【発明の開示】
【発明が解決しようとする課題】
【０００３】
従来のシステムには上述したような種々の問題があり、デバイス上の最近使用された連絡先およびアイテムに容易にアクセスする方法が必要とされている。
【０００４】
本発明は、このような状況に鑑みてなされたもので、その目的とするところは、最近使用されたアイテムに容易にアクセスする能力をユーザに与える、最近のアイテムを表示するための方法及びシステムを提供することにある。
【課題を解決するための手段】
【０００５】
本発明の一態様によれば、最近のアイテム（recent items）は、最近使用されたアイテムを示す。追跡される最近のアイテムには、通信、連絡先、フォルダ、ファイル、メッセージ、アプリケーションなどが含まれることが可能である。
【０００６】
別の態様によれば、最近のアイテムのリスト（a recent items list）は、デバイスの中に格納された対応する連絡先と対応させることが試みられる着信の通信と発信の通信をともに含む。
【０００７】
本発明の別の態様によれば、最近のアイテムが連絡先である場合、ユーザは、任意の通信方法を使用して返信することができる。例えば、ユーザは、電話で返信すること、電子メールを送ること、インスタントメッセンジャーメッセージを送信すること、ＳＭＳ（Short Message Service）メッセージを送信することなどができる。
【０００８】
本発明のさらに別の態様によれば、最近のアイテムのリストは、最近のアイテムが最近のアイテムのリストの中で１回だけ示されるように生成される。最近のリストの中で一致した連絡先があれば、その連絡先も、最近のリストの下に現れるアルファベット順リストの中で示されることが可能である。
【０００９】
本発明のさらに別の態様によれば、フォルダ、ファイル、アプリケーション、またはメッセージへの最近のアクセスも、最近アクセスされたものではないフォルダ、ファイル、アプリケーション、またはメッセージより前にリストアップされることが可能である。
【発明の効果】
【００１０】
本発明によれば、最近使用されたアイテムに容易にアクセスする能力をユーザに与えることができる。
【発明を実施するための最良の形態】
【００１１】
以下、図面を参照して本発明を適用できる実施形態を詳細に説明する。本発明は、最近アクセスされたアイテムに容易にアクセスする能力をユーザに与えるアイテムを表示する方法およびシステムを対象とする。アイテムが、最近のリストの中で１回だけ示されるように、合併されたアイテムリストが示される。
【００１２】
例示的な動作環境 
図１を参照すると、本発明を実施するための１つの典型的なシステムは、コンピューティングデバイス１００のようなコンピューティングデバイスを含む。非常に基本的な構成では、コンピューティングデバイス１００は、通常、少なくとも１つの処理装置１０２、およびシステムメモリ１０４を含む。コンピューティングデバイスの正確な構成およびタイプに依存して、システムメモリ１０４は、揮発性（ＲＡＭ（random access memory）のように）、不揮発性（ＲＯＭ（read only memory）、フラッシュメモリなどのように）、またはその２つの何らかの組合せであることが可能である。システムメモリ１０４は、通常、オペレーティングシステム１０５、１つまたは複数のアプリケーション１０６を含み、プログラムデータ１０７を含むことが可能である。一実施形態では、アプリケーション１０６には、最近のアイテムアプリケーション（a recent items application）１２０が含まれることが可能である。以上の基本的な構成を図１に破線１０８内のコンポーネントで示す。
【００１３】
コンピューティングデバイス１００は、さらなる特徴または機能も有することが可能である。例えば、コンピューティングデバイス１００は、例えば、磁気ディスク、光ディスク、またはテープなどの追加の記憶装置群（リムーバブル装置および／またはノンリムーバブル装置）も含むことが可能である。そのような追加のストレージを図１に、リムーバブルストレージ１０９およびノンリムーバブルストレージ１１０で示す。コンピュータ記憶媒体には、コンピュータ可読命令、データ構造、プログラムモジュール、またはその他のデータなどの情報を格納するために任意の方法または技術で実装された揮発性媒体および不揮発性媒体、リムーバブル媒体およびノンリムーバブル媒体が含まれることが可能である。システムメモリ１０４、リムーバブルストレージ１０９、およびノンリムーバブルストレージ１１０はすべて、コンピュータ記憶媒体の例である。コンピュータ記憶媒体には、ＲＡＭ、ＲＯＭ、ＥＥＰＲＯＭ（electrically erasable programmable read-only memory）、フラッシュメモリまたは他のメモリ技術、ＣＤ（compact disc）−ＲＯＭ、ＤＶＤ（Digital Versatile Disc）または他の光ストレージ、磁気カセット、磁気テープ、磁気ディスクストレージまたは他の磁気記憶装置、あるいは所望の情報を格納するのに使用することができ、コンピューティングデバイス１００がアクセスすることができる他の任意の媒体が含まれるが、以上には限定されない。あらゆるそのようなコンピュータ記憶媒体が、デバイス１００の一部であることが可能である。コンピューティングデバイス１００は、キーボード、マウス、ペン、音声入力デバイス、タッチ入力デバイスなどの入力デバイス１１２も有することが可能である。ディスプレイ、スピーカ、プリンタなどの出力デバイス１１４も含まれることが可能である。
【００１４】
コンピューティングデバイス１００は、デバイスが、ネットワークなどを介して他のコンピューティングデバイス群１１８と通信することができるようにする通信接続１１６も含むことが可能である。通信接続１１６は、通信媒体の一例である。通信媒体は、通常、搬送波などの変調されたデータ信号内、または他のトランスポート機構におけるコンピュータ可読命令、データ構造、プログラムモジュール、またはその他のデータによって実施されることが可能であり、あらゆる情報配信媒体が含まれる。「変調されたデータ信号」という用語は、信号内に情報を符号化するような形で特定の１つまたは複数が設定または変更されている信号を意味する。例として、限定としてではなく、通信媒体には、有線ネットワークまたは直接配線接続などの有線媒体、ならびに音響媒体、ＲＦ（radio frequency）媒体、赤外線媒体、またはその他の無線媒体などの無線媒体が含まれる。本明細書で使用するコンピュータ可読媒体という用語には、記憶媒体と通信媒体がともに含まれる。
【００１５】
図２は、本発明の典型的な実施形態に従って使用することができるモバイルコンピューティングデバイスを示す。モバイルコンピューティングデバイス２００は、プロセッサ２６０、メモリ２６２、ディスプレイ２２８、およびキーパッド２３２を含む。メモリ２６２は、一般に、揮発性メモリ（例えば、ＲＡＭ）および不揮発性メモリ（例えば、ＲＯＭ、フラッシュメモリなど）を含む。モバイルコンピューティングデバイス２００は、メモリ２６２の中に常駐し、プロセッサ２６０上で実行される、マイクロソフトコーポレーションからのＷｉｎｄｏｗｓ（登録商標）ＣＥオペレーティングシステムなどのオペレーティングシステム２６４、または他のオペレーティングシステムを含む。キーパッド２３２は、プッシュボタン式の数字ダイヤルパッド（通常の電話機上にあるような）、マルチキーキーボード（従来のキーボードなどの）であることが可能である。ディスプレイ２２８は、液晶ディスプレイ、またはモバイルコンピューティングデバイスにおいて一般に使用される他の任意のタイプのディスプレイであることが可能である。ディスプレイ２２８は、タッチセンシティブ型であることが可能であり、その場合、入力デバイスとしても機能することが可能である。
【００１６】
１つまたは複数のアプリケーションプログラム２６６がメモリ２６２の中に読み込まれ、オペレーティングシステム２６４上で実行される。最近のアイテムアプリケーションは、モバイルコンピューティングデバイス２００上に常駐し、最近アクセスされたアイテムに関連する動作を提供するようにプログラミングされている。最近のアイテムアプリケーションは、デバイスのハードウェアまたはソフトウェアの中に存在することが可能である。モバイルコンピューティングデバイス２００は、メモリ２６２内部に不揮発性ストレージ２６８も含む。不揮発性ストレージ２６８を使用して、モバイルコンピューティングデバイス２００の電源が切られた場合に失われてはならない永続的情報を格納することができる。
【００１７】
モバイルコンピューティングデバイス２００は、１つまたは複数のバッテリとして実装することができる電源装置２７０を含む。電源装置２７０は、バッテリを補う、または充電する、ＡＣ（alternate current）アダプタまたは電源付きドッキングクレイドル（ｄｏｃｋｉｎｇ  ｃｒａｄｌｅ）などの外部電源をさらに含むことが可能である。
【００１８】
モバイルコンピューティングデバイス２００は、２つのタイプのオプションの外部通知機構、すなわち、ＬＥＤ（light-emitting diode）２４０およびオーディオインタフェース２７４を備えているのが示されている。これらのデバイスは、アクティブ化された場合、プロセッサ２６０およびその他のコンポーネントがバッテリ電力を節約するためにシャットダウンしたとしても、通知機構によって規定された期間にわたってオンのままであるように、電源装置２７０に直接に結合することができる。オーディオインタフェース２７４が、ユーザに可聴信号を与え、ユーザから可聴信号を受け取るのに使用される。例えば、オーディオインタフェース２７４は、電話会話を円滑にするなどのために、可聴出力を提供するためにスピーカに結合し、可聴入力を受け取るためにマイクに結合することができる。
【００１９】
モバイルコンピューティングデバイス２００は、無線通信を送受信する機能を実行する通信接続である無線インタフェースレイヤ２７２も含む。無線インタフェースレイヤ２７２は、モバイルコンピューティングデバイス２００と外部世界の間に無線接続を円滑にする。一実施形態によれば、無線インタフェースレイヤ２７２への伝送、およびレイヤ２７２からの伝送は、オペレーティングシステム２６４による制御下で行われる。つまり、無線インタフェースレイヤ２７２によって受信された通信は、オペレーティングシステム２６４を介してアプリケーションプログラム群２６６に伝搬されることが可能であり、その逆も同様である。
【００２０】
最近のアイテム 
図３は、本発明の諸態様による最近アクセスされた連絡先を示す典型的な最近のアイテムのリストを示す。一実施形態によれば、最近のアイテムのリストは、着信電話呼と発信電話呼を含む。その他の最近アクセスされたアイテム群も、同一のリストまたは別個のリスト群の中に含まれることが可能である。例えば、最近のアイテムのリストは、最近アクセスされたフォルダ、ファイル、アプリケーションなどを含むことが可能である。最近のアイテムのリストは、最近使用されたいずれの形態の通信も含むことができる。例えば、最近のアイテムのリストは、着信と発信の電子メール、ＩＭ（instant message）メッセージ、ＳＭＳメッセージなどを含むことが可能である。
【００２１】
最近のアイテムのリスト３００を参照すると、最近の連絡先が、その連絡先が発信であったか、着信であったかを示すアイコンを連絡先情報の左側に有する。一実施形態によれば、発信呼は、発信アイコン３０５で表され、着信呼は、着信アイコン３１０で表される。他の形態の通信、またはアイテムへのアクセスに対して、他のアイコンを使用することができる。最近のアイテムがある形態の通信である場合、着信番号および発信番号を、ユーザの連絡先（３１５および３２０参照）の中に格納された対応する連絡先と対応させる試みが行われる。番号が、連絡先名と対応しない場合、その電話番号が、最近のリストの中で表示される（３０５および３１０参照）。
【００２２】
本発明の一実施形態によれば、最近のアイテムのリストは、所定の数のアイテムに制限される。例えば、一実施形態では、最近のアイテムのリストは、ＰＤＡ上でおよそスクリーン５つ分の情報である４０に制限される。別の実施形態によれば、最近のリスト内の数は、ユーザが調整することができる。別法として、最近のアイテムが、所定の期間にわたって保持されることが可能である。最近のアイテムを他のアイテムと区別するのを助けるように、リストの中のアイテムの背景色が、連絡先リストの中で表示されるアイテムよりわずかに暗くされる。
【００２３】
最近のアイテムのリスト（３００）は、最近の連絡先などの最近のアイテムが、最近のアイテムのリストの中で１回だけ示されるように生成される。一実施形態によれば、最近の連絡先のリスト内で連絡先リストを示すことに加えて、連絡先は、ユーザの連絡先リストの中でも示される。一実施形態によれば、秘密（ｐｒｉｖａｔｅ）とマークが付けられた連絡先は、最新の連絡先のリスト内で示されない。
【００２４】
最近のアイテムのリストは、最も新しいアイテムをまず示し、その後に次に新しいアイテムを示し、以下同様である。一実施形態によれば、今日内に行われた連絡は、連絡の時刻を示し、過去の日の間に行われた最近の連絡は、連絡の日付を示す。最近のアイテムのリスト３００を参照すると、最も新しい連絡は、午後４時１５分という時刻における呼３０５であり、次の連絡は、午後１時３０分という時刻における呼３１０であり、その後に以前の日々の呼が続く。一実施形態によれば、最近のアイテムが保持される時間を設定することができる。例えば、アイテムは、最近のアイテムのリストの中に２日間、留まるように制限することができる。
【００２５】
一実施形態によれば、示された電話番号が最近のアイテムのリストの中で表示されるが、ユーザは、所望の通信方法を選択することにより、最近のアイテムのリスト内で示される連絡方法を適宜、変更することができる。例えば、連絡先３１５が選択された場合、ユーザは、示された連絡方法を変更することもできる。例えば、連絡方法は、自宅電話または電子メールアドレスがあればそれらに変更することが可能である。標準の連絡先リストの中にある連絡先の規定の番号は、最近のアイテムのリストの中の番号が異なる場合、変更される。
【００２６】
別の実施形態によれば、最近のアイテムのリストは、最近使用されたアイテムに基づいてではなく、アイテムにどれだけ頻繁にアクセスが行われた、または通信されたかに基づいて生成することができる。例えば、最も頻度の高いアイテム群が、最も頻繁にアクセスされたアイテムをリストの先頭にしてリストアップされる。さらに、最近のアイテムのリストは、頻度情報と最終アクセスの時刻の組合せを使用して生成することができる。例えば、ユーザは、設計を調整して、所定の期間内で最も頻度の高いアイテムを望むことを示すこともできる。
【００２７】
図４は、本発明の諸態様に従って表示のタイトルバーを使用して、通信である最近のアイテムに関する呼の時刻を示すことを示す。図示するとおり、呼４１５が強調表示され、呼の時刻（４１０）がタイトルバー（４２０）内で表示される。また、最近の呼が、固定された（ｐｉｎｎｅｄ）連絡先４０５の下に示されることも例示されている。一般に、固定された連絡先４０５は、他のあらゆる連絡先より前に表示されるべき重要な連絡先として指定されている連絡先である。最近の呼の下に、標準の連絡先（４２５）が表示される。
【００２８】
図５は、本発明の諸態様による典型的な最近の呼のメニューを示す。
【００２９】
連絡先リスト５００は、固定された連絡先５０５を含み、その後に最近の連絡先５１０および標準の連絡先５１５を含む。最近の呼のメニュー（５２０）は、標準の連絡先には利用できないオプションを有する。例えば、最近の呼のメニュー（５２０）は、呼を削除する（remove）オプション（５３０）、および呼を保存する（save）オプション（５２５）を含む。未知の呼を「Ｓａｖｅ」するため、メニューには、削除（delete）と示されているのではなく、「Ｒｅｍｏｖｅ  ｃａｌｌ」と示されている。ユーザは、新規の連絡先を作成すること、固定された連絡先を作成すること、連絡先を別のデバイスに転送する（ｂｅａｍ）こと、その連絡先に関する呼履歴を見ること、ならびにビューを変更すること、またはツールにアクセスすることもできる。
【００３０】
図６は、本発明の諸態様による最近の呼の典型的なコンテキストメニューを示す。
【００３１】
最近の呼のコンテキストメニュー（６１０）は、連絡先を固定すること、職場を呼び出すこと、自宅を呼び出すこと、モバイルを呼び出すこと、電子メールを送ること、短縮ダイヤルを追加すること、連絡先を削除すること、連絡先を転送すること、およびＳＭＳメッセージを送信することを含め、多くの異なるオプションを含む（例えば、６１５参照）。
【００３２】
連絡先転送メニューオプションが、メニュー６１５において利用可能である。選択された場合、最近の呼を転送することにより、関連する連絡先が転送される。呼が未知の呼である場合、転送される連絡先の名前は、「未知の呼」であり、受け取られた番号が、連絡先の中に保存される。
【００３３】
同様に、最近のアイテムが関連する連絡先名を有さない場合、そのために開発された要約カードが、カード内に番号を挿入し、ユーザがその呼を連絡先として保存することができるようにする。
【００３４】
図７は、本発明の諸態様による最近の呼を表示するためのオプションを示す。ユーザが、自身の最近の呼（７１０）を示すことを所望しない可能性がある。ユーザは、自身の最近の呼を連絡先のリストビュー（７２５）の中で示すことを望まない場合、最近の呼のメニュー項目（７１５）を切り替えることにより、機能をオフにすることができる。最近の呼の表示をオフに切り替えることは、最近のリストの構成に影響を与えない。最近の呼のオプションのチェックボックスがオンにされた（ｃｈｅｃｋｅｄ）場合、最近の呼（７１０）は、リストビューの中で表示される。
【００３５】
図８は、本発明の諸態様による最近のアイテムのリストの生成を示す。開始ブロックの後、プロセスは、ブロック８１０に進み、最近のアイテムを判定する。以上の例は、通信である最近のアイテムを例示しているが、最近のアイテムは、ユーザがアクセスすることができるデバイス上の任意のアイテムであることが可能である。例えば、ユーザは、ファイルシステム内のファイルまたはフォルダにアクセスする。ユーザは、ファイル内のフィールドにアクセスすることもできる。例えば、ユーザが、連絡先の中のモバイル電話番号フィールドにアクセスすることが可能である。ユーザは、アプリケーションにアクセスすることもできる。
【００３６】
ブロック８２０の後、最近アクセスされたアイテムが、最近のアイテムのリストに追加される。このようにして、最近アクセスされたアイテムに容易にアクセスすることができる。
【００３７】
次に、ブロック８３０で、最近のアイテム群が表示される。最近のアイテム群は、最近にアクセスされたものではないアイテム群と視覚的に区別できるように表示される。例えば、最近のアイテムが、フォルダリストの先頭に表示され、そのアイテムに最近アクセスが行われたという視覚的指示を含む。次に、プロセスは、終了ブロックに進み、他のアクションを処理することに戻る。
【００３８】
以上の詳細な説明、例、およびデータにより、本発明の構成の製造および使用の完全な説明が提供された。本発明の趣旨および範囲を逸脱することなく、本発明の多数の実施形態を実施することができ、本発明は、本明細書に添付した特許請求の範囲に存する。
【図面の簡単な説明】
【００３９】
【図１】本発明の典型的な実施形態に従って使用することができる典型的なコンピューティングデバイスを示す図である。
【図２】本発明の典型的な実施形態に従って使用することができる典型的なコンピューティングデバイスを示す図である。
【図３】最近アクセスされた連絡先を示す典型的な最近のアイテムのリストを示す図である。
【図４】表示のタイトルバーを使用して、通信である最近のアイテムに関する呼の時刻を示す図である。
【図５】典型的な最近の呼のメニューを示す図である。
【図６】最近の呼の典型的なコンテキストメニューを示す図である。
【図７】最近の呼を表示することに関するオプションを示す図である。
【図８】本発明の諸態様による最新のアイテムのリストを利用するためのプロセスを示す図である。
【符号の説明】
【００４０】
３００  最近のアイテムのリスト
３０５  発信アイコン
３１０  着信アイコン
３１５、３２０  ユーザの連絡先
６１０  最近の呼のコンテキストメニュー
６１５  オプション
【図１】
2005236987.tif 000003
【図２】
2005236987.tif 000004
【図８】
2005236987.tif 000005
【図３】
2005236987.tif 000006
【図４】
2005236987.tif 000007
【図５】
2005236987.tif 000008
【図６】
2005236987.tif 000009
【図７】
2005236987.tif 000010